【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
収納ケース１０に収納される収納状態と前記収納ケース１０外に引き出して使用する使用状態に切替え自在の引出使用部材９を、略起立状態の格納位置と略水平の使用位置とに変位するように設けた収納部材Ｆに設け、前記引出使用部材９は、少なくとも、前記収納ケース１０に収納された状態で該収納ケース１０の奥側に所定距離前記引出使用部材９を押し込む操作により、収納ケース１０に引出使用部材９を格納保持させる係止機構１４の係止状態が解除されて引き出され、引き出された引出使用部材９を収納ケース１０に押し込むと係止機構１４が係合して収納状態となり、押し込み操作の反復により収納状態と使用状態の交互に切替えるように構成し、前記収納部材Ｆが格納位置では前記係止機構１４の係止解除させるための引出使用部材９の移動を規制して、該引出使用部材９の収納状態を保持する規制手段２５を設けた引出使用装置。
【請求項２】
請求項１において、前記規制手段２５はストッパ体２６を引出使用部材９に設けて構成し、該ストッパ体２６は収納部材Ｆが格納位置では引出使用部材９が係止機構１４の係止解除のための押し込み方向移動を規制する規制位置に、収納部材Ｆが使用位置では、引出使用部材９の押し込み方向へのストッパ体２６による移動規制を解除する許容位置の夫々に変位するように構成し、前記ストッパ体２６は当接体２７の基部を回転軸２８に固定して構成し、該回転軸２８はブラケット２９に回転自在に軸装し、該ブラケット２９は引出使用部材９の引出し方向の後側の引出使用部材９に固定し、前記収納部材Ｆが略水平の使用状態では当接体２７は回転軸２８の後面側に斜め上向きに突出するように固定し、前記収納部材Ｆの使用状態では当接体２７の先端と収納ケース１０の奥側（後側）所定位置に設けた当接壁３０との間に、係止機構１４を係止解除させるために引出使用部材９が所定距離移動しうる長さの所定の間隔Ｋを有するように構成し、前記収納部材Ｆが起立した格納位置では当接体２７は回転軸２８中心に回動して当接体２７の先端と収納ケース１０の当接壁３０との間に、係止機構１４を係止解除させるための引出使用部材９の移動量よりも狭い所定距離の隙間Ｓを形成するように構成し、前記ストッパ体２６の当接体２７の規制位置と許容位置との切替えは、前記収納部材Ｆの使用位置から格納位置への回動に連動して自動的に行うように構成し、前記引出使用部材９の引出し方向の前側の回転軸２８にはウエイト３１を固定し、前記ストッパ体２６を当接体２７とウエイト３１により構成し、前記当接体２７は前記収納部材Ｆが略水平の使用位置で前記回転軸２８の後面側に斜め上向きに突出するように固定し、前記ウエイト３１は回転軸２８の前面側に固定し、前記ウエイト３１の重心位置Ｗは、前記収納部材Ｆが使用位置では回転軸２８の中心より引出使用部材９の引出方向の前方に位置させると共に、回転軸２８の中心より上方に位置させて構成し、前記ブラケット２９には、当接体２７を規制位置と許容位置の夫々に保持させる規制位置ストッパ３５および許容位置ストッパ３６を設けた引出使用装置。
【請求項３】
請求項１において、前記規制手段２５はストッパ体２６を引出使用部材９に設けて構成し、該ストッパ体２６は収納部材Ｆが格納位置では引出使用部材９が係止機構１４の係止解除のための押し込み方向移動を規制する規制位置に、収納部材Ｆが使用位置では、引出使用部材９の押し込み方向へのストッパ体２６による移動規制を解除する許容位置の夫々に変位するように構成した引出使用装置。
【請求項４】
請求項３において、前記ストッパ体２６は当接体２７の基部を回転軸２８に固定して構成し、該回転軸２８はブラケット２９に回転自在に軸装し、該ブラケット２９は引出使用部材９の引出し方向の後側の引出使用部材９に固定し、前記収納部材Ｆが略水平の使用状態では当接体２７は回転軸２８の後面側に斜め上向きに突出するように固定し、前記収納部材Ｆの使用状態では当接体２７の先端と収納ケース１０の奥側（後側）所定位置に設けた当接壁３０との間に、係止機構１４を係止解除させるために引出使用部材９が所定距離移動しうる長さの所定の間隔Ｋを有するように構成し、前記収納部材Ｆが起立した格納位置では当接体２７は回転軸２８中心に回動して当接体２７の先端と収納ケース１０の当接壁３０との間に、係止機構１４を係止解除させるための引出使用部材９の移動量よりも狭い所定距離の隙間Ｓを形成するように構成した引出使用装置。
【請求項５】
請求項４において、前記ストッパ体２６の当接体２７の規制位置と許容位置との切替えは、前記収納部材Ｆの使用位置から格納位置への回動に連動して自動的に行うように構成した引出使用装置。
【請求項６】
請求項５において、前記引出使用部材９の引出し方向の前側の回転軸２８にはウエイト３１を固定し、前記ストッパ体２６を当接体２７とウエイト３１により構成した引出使用装置。
【請求項７】
請求項６において、前記当接体２７は前記収納部材Ｆが略水平の使用位置で前記回転軸２８の後面側に斜め上向きに突出するように固定し、前記ウエイト３１は回転軸２８の前面側に固定した引出使用装置。
【請求項８】
請求項７において、前記ウエイト３１の重心位置Ｗは、前記収納部材Ｆが使用位置では回転軸２８の中心より引出使用部材９の引出方向の前方に位置させると共に、回転軸２８の中心より上方に位置させて構成した引出使用装置。
【請求項９】
請求項８において、前記ブラケット２９には、当接体２７を規制位置と許容位置の夫々に保持させる規制位置ストッパ３５および許容位置ストッパ３６を設けた引出使用装置。
【請求項１０】
請求項１または請求項３または請求項４または請求項５または請求項６または請求項７または請求項８または請求項９において、前記引出使用部材９は収納ボックス９Ｂにより構成した引出使用装置。
【請求項１１】
請求項１または請求項３または請求項４または請求項５または請求項６または請求項７または請求項８または請求項９または請求項１０において、前記引出使用部材９は収納テーブル９Ｃにより構成した引出使用装置。
【請求項１２】
収納ケース１０に収納される収納状態と該収納ケース１０から外に引き出して使用される使用状態に切り替え自在の引出使用部材であるカップ支持体９Ａを、略起立状態の格納位置と略水平の使用位置とに変位する車両室内に設けた収納部材Ｆに設け、前記カップ支持体９Ａは、少なくとも、前記収納ケース１０に収納された状態で収納ケース１０の奥側に所定距離前記カップ支持体９Ａを押し込む操作により、収納ケース１０にカップ支持体９Ａを格納保持させる係止機構１４の係止状態が解除されて引き出され、引き出された引出使用部材９を収納ケース１０に押し込むと係止機構１４が係合して収納状態となり、押し込み操作の反復により収納状態と使用状態との交互に切替えるように構成し、前記収納部材Ｆが格納位置では前記係止機構１４の係止解除させるためのカップ支持体９Ａの移動を規制して、カップ支持体９Ａの収納状態を保持する規制手段２５を設けたカップホルダ装置。
【請求項１３】
請求項１２において、前記規制手段２５はストッパ体２６をカップ支持体９Ａに設けて構成し、該ストッパ体２６は、収納部材Ｆが格納位置ではカップ支持体９Ａが係止機構１４の係止解除のための押し込み方向移動を規制する規制位置と、収納部材Ｆが使用位置では、カップ支持体９Ａの押し込み方向へのストッパ体２６による移動規制を解除する許容位置との夫々に変位するように構成したカップホルダ装置。
【請求項１４】
請求項１３において、前記ストッパ体２６は当接体２７の基部を回転軸２８に固定して構成し、回転軸２８はブラケット２９に回転自在に軸装し、該ブラケット２９はカップ支持体９Ａの引出方向の後側のカップ支持体９Ａに固定し、前記収納部材Ｆが略水平の使用状態では当接体２７は回転軸２８の後面側に斜め上向きに突出するように固定し、前記収納部材Ｆが略水平の使用状態では当接体２７の先端と収納ケース１０の奥側所定位置に設けた当接壁３０との間に、係止機構１４を係止解除させるためにカップ支持体９Ａが所定距離移動しうる長さの間隔Ｋを有するように構成し、前記収納部材Ｆが略起立した格納位置では当接体２７は回転軸２８中心に回動して当接体２７の先端と収納ケース１０の当接壁３０との間に係止機構１４を係止解除させるためのカップ支持体９Ａの移動量よりも狭い隙間Ｓを形成するように構成したカップホルダ装置。
【請求項１５】
請求項１４において、前記ストッパ体２６の当接体２７の規制位置と許容位置との切替えは、収納部材Ｆの使用位置から格納位置への回動に連動して自動的に行うように構成したカップホルダ装置。
【請求項１６】
請求項１５において、前記カップ支持体９Ａの引出方向の前側の回転軸２８にはウエイト３１を固定し、前記ストッパ体２６を当接体２７とウエイト３１により構成したカップホルダ装置。
【請求項１７】
請求項１６において、前記当接体２７は収納部材Ｆが略水平の使用位置のとき、回転軸２８の前記カップ支持体９Ａの引出方向の後面側に斜め上向きに突出するように固定し、ウエイト３１は回転軸２８の前記カップ支持体９Ａの引出方向の前面側に固定したカップホルダ装置。
【請求項１８】
請求項１７において、前記ウエイト３１の重心位置Ｗは、収納部材Ｆの使用位置では回転軸２８の中心より前方に位置させると共に、回転軸２８の中心より上方に位置させて構成したカップホルダ装置。
【請求項１９】
請求項１８において、前記ブラケット２９には、当接体２７を規制位置と許容位置とに保持させる規制位置ストッパ３５および許容位置ストッパ３６を設けたカップホルダ装置。
【請求項２０】
請求項１２または請求項１３または請求項１４または請求項１５または請求項１６または請求項１７または請求項１８または請求項１９において、前記収納部材Ｆは、車両シート１の着座者の腕部分を支持するアームレスト４としたカップホルダ装置。
【手続補正２】
【補正対象書類名】明細書
【補正対象項目名】０００４
【補正方法】変更
【補正の内容】
【０００４】
請求項１の発明は、収納ケース１０に収納される収納状態と前記収納ケース１０外に引き出して使用する使用状態に切替え自在の引出使用部材９を、略起立状態の格納位置と略水平の使用位置とに変位するように設けた収納部材Ｆに設け、前記引出使用部材９は、少なくとも、前記収納ケース１０に収納された状態で該収納ケース１０の奥側に所定距離前記引出使用部材９を押し込む操作により、収納ケース１０に引出使用部材９を格納保持させる係止機構１４の係止状態が解除されて引き出され、引き出された引出使用部材９を収納ケース１０に押し込むと係止機構１４が係合して収納状態となり、押し込み操作の反復により収納状態と使用状態の交互に切替えるように構成し、前記収納部材Ｆが格納位置では前記係止機構１４の係止解除させるための引出使用部材９の移動を規制して、該引出使用部材９の収納状態を保持する規制手段２５を設けた引出使用装置としたものである。
請求項２の発明は、前記規制手段２５はストッパ体２６を引出使用部材９に設けて構成し、該ストッパ体２６は収納部材Ｆが格納位置では引出使用部材９が係止機構１４の係止解除のための押し込み方向移動を規制する規制位置に、収納部材Ｆが使用位置では、引出使用部材９の押し込み方向へのストッパ体２６による移動規制を解除する許容位置の夫々に変位するように構成し、前記ストッパ体２６は当接体２７の基部を回転軸２８に固定して構成し、該回転軸２８はブラケット２９に回転自在に軸装し、該ブラケット２９は引出使用部材９の引出し方向の後側の引出使用部材９に固定し、前記収納部材Ｆが略水平の使用状態では当接体２７は回転軸２８の後面側に斜め上向きに突出するように固定し、前記収納部材Ｆの使用状態では当接体２７の先端と収納ケース１０の奥側（後側）所定位置に設けた当接壁３０との間に、係止機構１４を係止解除させるために引出使用部材９が所定距離移動しうる長さの所定の間隔Ｋを有するように構成し、前記収納部材Ｆが起立した格納位置では当接体２７は回転軸２８中心に回動して当接体２７の先端と収納ケース１０の当接壁３０との間に、係止機構１４を係止解除させるための引出使用部材９の移動量よりも狭い所定距離の隙間Ｓを形成するように構成し、前記ストッパ体２６の当接体２７の規制位置と許容位置との切替えは、前記収納部材Ｆの使用位置から格納位置への回動に連動して自動的に行うように構成し、前記引出使用部材９の引出し方向の前側の回転軸２８にはウエイト３１を固定し、前記ストッパ体２６を当接体２７とウエイト３１により構成し、前記当接体２７は前記収納部材Ｆが略水平の使用位置で前記回転軸２８の後面側に斜め上向きに突出するように固定し、前記ウエイト３１は回転軸２８の前面側に固定し、前記ウエイト３１の重心位置Ｗは、前記収納部材Ｆが使用位置では回転軸２８の中心より引出使用部材９の引出方向の前方に位置させると共に、回転軸２８の中心より上方に位置させて構成し、前記ブラケット２９には、当接体２７を規制位置と許容位置の夫々に保持させる規制位置ストッパ３５および許容位置ストッパ３６を設けた引出使用装置としたものである。
請求項３の発明は、前記規制手段２５はストッパ体２６を引出使用部材９に設けて構成し、該ストッパ体２６は収納部材Ｆが格納位置では引出使用部材９が係止機構１４の係止解除のための押し込み方向移動を規制する規制位置に、収納部材Ｆが使用位置では、引出使用部材９の押し込み方向へのストッパ体２６による移動規制を解除する許容位置の夫々に変位するように構成した引出使用装置としたものである。
請求項４の発明は、前記ストッパ体２６は当接体２７の基部を回転軸２８に固定して構成し、該回転軸２８はブラケット２９に回転自在に軸装し、該ブラケット２９は引出使用部材９の引出し方向の後側の引出使用部材９に固定し、前記収納部材Ｆが略水平の使用状態では当接体２７は回転軸２８の後面側に斜め上向きに突出するように固定し、前記収納部材Ｆの使用状態では当接体２７の先端と収納ケース１０の奥側（後側）所定位置に設けた当接壁３０との間に、係止機構１４を係止解除させるために引出使用部材９が所定距離移動しうる長さの所定の間隔Ｋを有するように構成し、前記収納部材Ｆが起立した格納位置では当接体２７は回転軸２８中心に回動して当接体２７の先端と収納ケース１０の当接壁３０との間に、係止機構１４を係止解除させるための引出使用部材９の移動量よりも狭い所定距離の隙間Ｓを形成するように構成した引出使用装置としたものである。
請求項５の発明は、前記ストッパ体２６の当接体２７の規制位置と許容位置との切替えは、前記収納部材Ｆの使用位置から格納位置への回動に連動して自動的に行うように構成した引出使用装置としたものである。
請求項６の発明は、前記引出使用部材９の引出し方向の前側の回転軸２８にはウエイト３１を固定し、前記ストッパ体２６を当接体２７とウエイト３１により構成した引出使用装置としたものである。
請求項７の発明は、前記当接体２７は前記収納部材Ｆが略水平の使用位置で前記回転軸２８の後面側に斜め上向きに突出するように固定し、前記ウエイト３１は回転軸２８の前面側に固定した引出使用装置としたものである。
請求項８の発明は、前記ウエイト３１の重心位置Ｗは、前記収納部材Ｆが使用位置では回転軸２８の中心より引出使用部材９の引出方向の前方に位置させると共に、回転軸２８の中心より上方に位置させて構成した引出使用装置としたものである。
請求項９の発明は、前記ブラケット２９には、当接体２７を規制位置と許容位置の夫々に保持させる規制位置ストッパ３５および許容位置ストッパ３６を設けた引出使用装置としたものである。
請求項１０の発明は、前記引出使用部材９は収納ボックス９Ｂにより構成した引出使用装置としたものである。
請求項１１の発明は、前記引出使用部材９は収納テーブル９Ｃにより構成した引出使用装置としたものである。
請求項１２の発明は、収納ケース１０に収納される収納状態と該収納ケース１０から外に引き出して使用される使用状態に切り替え自在の引出使用部材であるカップ支持体９Ａを、略起立状態の格納位置と略水平の使用位置とに変位する車両室内に設けた収納部材Ｆに設け、前記カップ支持体９Ａは、少なくとも、前記収納ケース１０に収納された状態で収納ケース１０の奥側に所定距離前記カップ支持体９Ａを押し込む操作により、収納ケース１０にカップ支持体９Ａを格納保持させる係止機構１４の係止状態が解除されて引き出され、引き出された引出使用部材９を収納ケース１０に押し込むと係止機構１４が係合して収納状態となり、押し込み操作の反復により収納状態と使用状態との交互に切替えるように構成し、前記収納部材Ｆが格納位置では前記係止機構１４の係止解除させるためのカップ支持体９Ａの移動を規制して、カップ支持体９Ａの収納状態を保持する規制手段２５を設けたカップホルダ装置としたものである。
請求項１３の発明は、前記規制手段２５はストッパ体２６をカップ支持体９Ａに設けて構成し、該ストッパ体２６は、収納部材Ｆが格納位置ではカップ支持体９Ａが係止機構１４の係止解除のための押し込み方向移動を規制する規制位置と、収納部材Ｆが使用位置では、カップ支持体９Ａの押し込み方向へのストッパ体２６による移動規制を解除する許容位置との夫々に変位するように構成したカップホルダ装置としたものである。
請求項１４の発明は、前記ストッパ体２６は当接体２７の基部を回転軸２８に固定して構成し、回転軸２８はブラケット２９に回転自在に軸装し、該ブラケット２９はカップ支持体９Ａの引出方向の後側のカップ支持体９Ａに固定し、前記収納部材Ｆが略水平の使用状態では当接体２７は回転軸２８の後面側に斜め上向きに突出するように固定し、前記収納部材Ｆが略水平の使用状態では当接体２７の先端と収納ケース１０の奥側所定位置に設けた当接壁３０との間に、係止機構１４を係止解除させるためにカップ支持体９Ａが所定距離移動しうる長さの間隔Ｋを有するように構成し、前記収納部材Ｆが略起立した格納位置では当接体２７は回転軸２８中心に回動して当接体２７の先端と収納ケース１０の当接壁３０との間に係止機構１４を係止解除させるためのカップ支持体９Ａの移動量よりも狭い隙間Ｓを形成するように構成したカップホルダ装置としたものである。
請求項１５の発明は、前記ストッパ体２６の当接体２７の規制位置と許容位置との切替えは、収納部材Ｆの使用位置から格納位置への回動に連動して自動的に行うように構成したカップホルダ装置としたものである。
請求項１６の発明は、前記カップ支持体９Ａの引出方向の前側の回転軸２８にはウエイト３１を固定し、前記ストッパ体２６を当接体２７とウエイト３１により構成したカップホルダ装置としたものである。
請求項１７の発明は、前記当接体２７は収納部材Ｆが略水平の使用位置のとき、回転軸２８の前記カップ支持体９Ａの引出方向の後面側に斜め上向きに突出するように固定し、ウエイト３１は回転軸２８の前記カップ支持体９Ａの引出方向の前面側に固定したカップホルダ装置としたものである。
請求項１８の発明は、前記ウエイト３１の重心位置Ｗは、収納部材Ｆの使用位置では回転軸２８の中心より前方に位置させると共に、回転軸２８の中心より上方に位置させて構成したカップホルダ装置としたものである。
請求項１９の発明は、前記ブラケット２９には、当接体２７を規制位置と許容位置とに保持させる規制位置ストッパ３５および許容位置ストッパ３６を設けたカップホルダ装置としたものである。
請求項２０の発明は、前記収納部材Ｆは、車両シート１の着座者の腕部分を支持するアームレスト４としたカップホルダ装置としたものである。
【手続補正３】
【補正対象書類名】明細書
【補正対象項目名】０００５
【補正方法】変更
【補正の内容】
【０００５】
請求項１および請求項２では、規制手段２５が、収納部材Ｆが格納位置のとき、係止機構１４の係止解除方向の引出使用部材９の移動を規制でき、収納部材Ｆの格納位置における引出使用部材９の収納状態の保持の確実性を向上させることができる。そして、収納部材Ｆが使用位置のときには引出使用部材９の引き出し操作を行って、引出使用部材９を使用状態にできる。
請求項３では、規制手段２５のストッパ体２６が係止機構１４の係止解除方向の引出使用部材９の移動を規制する規制位置と、係止機構１４の係止解除方向の引出使用部材９の移動を許容する許容位置とに変位するから、収納部材Ｆが格納位置のときの引出使用部材９の収納状態の保持ができ、収納部材Ｆが使用位置のときには引出使用部材９の引き出し操作により引出使用部材９を使用状態にできる。
請求項４では、ストッパ体２６は、当接体２７の先端と収納ケース１０の奥側（後側）所定位置に設けた当接壁３０との間に、係止機構１４の係止解除のための引出使用部材９の移動量をより長い長さの間隔Ｋを有しているので、ストッパ体２６の当接体２７は収納部材Ｆが使用位置のときには係止機構１４の係止解除方向の引出使用部材９の移動を許容し、引出使用部材９を押し込み操作すると、係止機構１４の係合が解除され、引出使用部材９を引き出して使用状態にできる。
また、収納部材Ｆが起立した格納位置では当接体２７の先端と収納ケース１０の当接壁３０との間に係止機構１４の係止解除のための引出使用部材９の移動量よりも狭い隙間Ｓを形成しているから、係止機構１４の係止解除方向の荷重による引出使用部材９の移動自体を規制でき、係止機構１４の係止状態を保持して、引出使用部材９の収納状態を保持できる。
請求項５では、収納部材Ｆを使用位置から格納位置に回動させるだけで、当接体２７は回転軸２８中心に回動して規制位置に移動して、引出使用部材９の収納状態を保持でき、反対に、収納部材Ｆを格納位置から使用位置へ回動させると、ストッパ体２６の当接体２７は許容位置に移動し、引出使用部材９の引き出し操作が可能となり、操作性を向上させることができる。
請求項６では、規制位置と許容位置とに移動させる規制手段２５のストッパ体２６を簡素な構成で実現でき、コストを低くできる。
請求項７では、許容位置の当接体２７を簡素な構成で実現でき、コストを低くできる。
請求項８では、規制位置と許容位置とに自動切り替え構成を、ウエイト３１の重心位置Ｗの位置を工夫することにより簡素な構成で実現でき、コストを低くできる。
請求項９では、当接体２７の規制位置と許容位置との自動切り替え構成を、確実に作動させることができる。
請求項１０では、規制手段２５が、収納部材Ｆが格納位置のとき、係止機構１４の係止解除方向の収納ボックス９Ｂの移動を規制でき、収納部材Ｆの格納位置における収納ボックス９Ｂの収納状態の保持の確実性を向上させることができる。そして、収納部材Ｆが使用位置のときには収納ボックス９Ｂの引き出し操作を行って、収納ボックス９Ｂを使用状態にできる。
請求項１１では、規制手段２５が、収納部材Ｆが格納位置のとき、係止機構１４の係止解除方向の収納テーブル９Ｃの移動を規制でき、収納部材Ｆの格納位置における収納テーブル９Ｃの収納状態の保持の確実性を向上させることができる。そして、収納部材Ｆが使用位置のときには収納テーブル９Ｃの引き出し操作を行って、収納テーブル９Ｃを使用状態にできる。
請求項１２では、規制手段２５が、収納部材Ｆが格納位置のとき、係止機構１４の係止解除方向のカップ支持体９Ａカップ支持体９Ａの移動を規制でき、収納部材Ｆの格納位置におけるカップ支持体９Ａの収納状態の保持の確実性を向上させることができる。そして、収納部材Ｆが使用位置のときにはカップ支持体９Ａの引き出し操作を行って、カップ支持体９Ａを使用状態にできる。
請求項１３では、規制手段２５のストッパ体２６が係止機構１４の係止解除方向のカップ支持体９Ａの移動を規制する規制位置と、係止機構１４の係止解除方向のカップ支持体９Ａの移動を許容する許容位置とに変位するから、収納部材Ｆが格納位置のときのカップ支持体９Ａの収納状態の保持ができ、収納部材Ｆが使用位置のときにはカップ支持体９Ａの引き出し操作によりカップ支持体９Ａを使用状態にできる。
請求項１４では、ストッパ体２６の当接体２７の先端と収納ケース１０の奥側（後側）所定位置に設けた当接壁３０との間に、係止機構１４の係止解除のためのカップ支持体９Ａの移動量より長い長さの間隔Ｋを有しているので、収納部材Ｆが使用位置のときには、ストッパ体２６の当接体２７は係止機構１４の係止解除方向のカップ支持体９Ａの移動を許容し、カップ支持体９Ａを押し込み操作すると、係止機構１４の係合が解除され、カップ支持体９Ａを引き出して使用状態にできる。
また、収納部材Ｆが起立した格納位置では当接体２７は回転軸２８中心に回動して当接体２７の先端と収納ケース１０の当接壁３０との間には係止機構１４の係止解除のためのカップ支持体９Ａの移動量よりも狭い隙間Ｓを形成しているから、係止機構１４の係止解除方向の荷重がカップ支持体９Ａに掛かっても、カップ支持体９Ａの移動自体を規制でき、収納部材Ｆが格納位置のときのカップ支持体９Ａの収納状態を保持できる。
請求項１５では、収納部材Ｆを使用位置から格納位置に回動させるだけで、当接体２７は回転軸２８中心に回動して規制位置に移動して、カップ支持体９Ａの収納状態を保持でき、反対に、収納部材Ｆを格納位置から使用位置へ回動させると、ストッパ体２６の当接体２７は許容位置に移動し、カップ支持体９Ａの引き出し操作が可能となり、操作性を向上させることができる。
請求項１６では、規制位置と許容位置とに移動させる規制手段２５のストッパ体２６を簡素な構成で実現でき、コストを低くできる。
請求項１７では、許容位置の当接体２７を簡素な構成で実現でき、コストを低くできる。
請求項１８では、規制位置と許容位置とに自動切り替え構成を、ウエイト３１の重心位置Ｗの位置を工夫することにより簡素な構成で実現でき、コストを低くできる。
請求項１９では、当接体２７の規制位置と許容位置とに自動切り替え構成を、確実に作動させることができる。
請求項２０では、収納部材Ｆを車両シート１の着座者の腕部分を支持するアームレスト４としたから、アームレスト４を起立させているときのホルダ支持体９Ａの飛び出しを防止できる。